(57)【要約】【課題】  毛屑がスリット外刃から外部に飛散しないように工夫して、使用後の鼻穴内の手入れが不要となるようにした鼻毛カッターを提供する。【解決手段】  内刃２３は内刃フレーム２２で出没動可能に支持して、内刃フレーム２２とともに回転駆動するとともに、内刃フレーム２２に、内刃２３の回転方向Ｒの前方で、内刃２３とほぼ同じ高さ位置で対向する毛屑の飛散防止壁２６を設けることで、内刃２３で切断された毛屑ａは、直ぐに飛散防止壁２６に衝突して、スリット外刃２１内で下方に落下するので、スリット外刃２１のスリット溝２１ｂから外部に飛散するのを防止できる。【選択図】  図５
2007029382.tif 000002
【特許請求の範囲】
【請求項１】
スリット外刃と、回転駆動される内刃とを備えた鼻毛カッターにおいて、
前記内刃は内刃フレームで出没動可能に支持して、内刃フレームとともに回転駆動するとともに、内刃フレームに、内刃の回転方向の前方で、内刃とほぼ同じ高さ位置で対向する毛屑の飛散防止壁を設けたことを特徴とする鼻毛カッター。
【請求項２】
前記毛屑の飛散防止壁の毛屑衝突面は、下向きに傾斜していることを特徴とする請求項１に記載の鼻毛カッター。
【発明の詳細な説明】
【技術分野】
【０００１】
本発明は、鼻毛をカットするための鼻毛カッターに関する。
【背景技術】
【０００２】
従来、鼻毛カッターとしては、スリット外刃と、回転駆動される内刃とを備えて、スリット外刃の内周面に進入した鼻毛を内刃でカットするものがある（特許文献１参照）。
【０００３】
前記のような鼻毛カッターでは、カットした後の毛屑が鼻穴に残り、使用後の鼻穴の手入れが必要となる。
【特許文献１】特許第３５３６３４５号公報
【発明の開示】
【発明が解決しようとする課題】
【０００４】
ところで、カットした後の毛屑が鼻穴に残るのは、内刃で切断された毛屑がスリット外刃のスリット溝から外部に飛散することが原因であり、毛屑がスリット外刃から外部に飛散しないようにすることが要望されている。
【０００５】
本発明は、前記要望に応えるためになされたもので、毛屑がスリット外刃から外部に飛散しないように工夫して、使用後の鼻穴内の手入れが不要となるようにした鼻毛カッターを提供することを目的とするものである。
【課題を解決するための手段】
【０００６】
前記課題を解決するために、本発明は、スリット外刃と、回転駆動される内刃とを備えた鼻毛カッターにおいて、前記内刃は内刃フレームで出没動可能に支持して、内刃フレームとともに回転駆動するとともに、内刃フレームに、内刃の回転方向の前方で、内刃とほぼ同じ高さ位置で対向する毛屑の飛散防止壁を設けたことを特徴とする鼻毛カッターを提供するものである。
【０００７】
毛屑の飛散をより確実に防止するために、前記毛屑の飛散防止壁の毛屑衝突面は、下向きに傾斜している構成とすることが好ましい。
【発明の効果】
【０００８】
本発明によれば、内刃フレームに毛屑の飛散防止壁を設けたから、内刃で切断された毛屑は、直ぐに飛散防止壁に衝突して、スリット外刃内で下方に落下するので、スリット外刃のスリット溝から外部に飛散するのを防止でき、使用後の鼻穴内の手入れが不要になる。
【発明を実施するための最良の形態】
【０００９】
以下、本発明を実施するための最良の形態について、図面を参照しながら詳細に説明する。
【００１０】
図１（ａ）は、鼻毛カッター１０の正面図、図１（ｂ）は、鼻毛カッター１０の側面断面図である。鼻毛カッター１０は、本体組立品（本体ブロック）１１と、本体組立品１１の上部に着脱可能に取付けられる刃組立品（刃ブロック）１２とで構成されている。
【００１１】
本体組立品１１のハウジング１４内には、電動モータ１５と、電動モータ１５を駆動するための乾電池を収納する乾電池収納室１６とが設けられて、電動モータ１５の出力軸１５ａには、継ぎ手部材１７を圧入固定している。前記ハウジング１４の前面には、電動モータ１５をオン・オフするための押しボタンスイッチ１８が設けられている。
【００１２】
図２〜図４に示すように、刃組立品１２は、外刃フレーム２０とスリット外刃２１とでなる外刃ブロック１２Ａと、内刃フレーム２２と一対の内刃２３とコイル状のばね２４とでなる内刃ブロック１２Ｂとで構成されている。
【００１３】
外刃ブロック１２Ａにおいて、外刃フレーム２０は、有頂円錐筒状に形成されて、頂部には開口２０ａが形成されている。この外刃フレーム２０の下部と前記本体組立品１１の上部とにバヨネット（不図示）が形成されて、外刃フレーム２０をひねり回転させることで、本体組立品１１の上部にワンタッチで着脱可能になっている。
【００１４】
スリット外刃２１は、有頂円筒状に形成されて、上部から側部に跨って円周上等角度間隔（本例では４０度間隔）でスリット溝２１ｂが形成されている。
【００１５】
スリット外刃２１は、外刃フレーム２０の下方から開口２０ａ内に挿入されて、開口２０ａから上方に突出した状態で、基部２１ｃが外刃フレーム２０に固定されるようになる。
【００１６】
内刃ブロック１２Ｂにおいて、内刃フレーム２２は、砲弾状に形成されて、下部には掃除時のつまみ部２２ａが形成され、中間部には、スリット外刃２１内に下方から挿入したときに、挿入位置を位置決めする位置決め突起部２２ｂが形成されている。また、内刃フレーム２２の下部には、前記電動モータ１５の出力軸１５ａの継ぎ手部材１７を回転しないように挿入するための継ぎ手挿入穴２２ｃ〔図１（ｂ）参照〕が形成されて、継ぎ手部材１７を介して内刃フレーム２２が電動モータ１５で回転されるようになる。
【００１７】
内刃フレーム２２の上部分には、軸直交方向に貫通するスリット状の内刃挿入穴２２ｄが形成され、この内刃挿入穴２２ｄ内には、具体的に図示しないが係止凹部とばね挿入穴とが形成されている。
【００１８】
一対の内刃２３は、板状に形成されて、本体部２３ａの先端上部に切刃部２３ｂが形成され、本体部２３ａの先端下部に、切刃部２３ｂが傾かないように、スリット外刃２１の内周面２１ａに接触する傾斜防止部２３ｃが形成されている。また、本体部２３ａには、切り起こした抜け止め片２３ｄが一体形成されている。
【００１９】
前記内刃フレーム２２のばね挿入穴にばね２４を挿入した状態で、各内刃２３の本体部２３ａを内刃挿入穴２２ｄに、ばね２４の付勢力に抗して外方からそれぞれ挿入する時に、抜け止め片２３ｄを撓ませて挿入すると、抜け止め片２３ｄは、内刃挿入穴２２ｄ内の係止凹部内で復元して、係止凹部で係止可能になる。これにより、各内刃２３は、ばね２４で外方に付勢された状態で、一定の突出位置（切刃部２３ｂがスリット外刃２１の内周面２１ａに接触する位置を僅かに越えた位置）において内刃フレーム２２で係止されることになる。そして、各内刃２３の本体部２３ａは、内刃フレーム２２の内刃挿入穴２２ｄに出没動可能に挿入されて、先端の切刃部２３ｂがスリット外刃２１の内周面２１ａに接触するようにばね２４で押し付けられるようになる。
【００２０】
内刃フレーム２２の上部には、各内刃２３の回転方向Ｒの前方で、各内刃２３とほぼ同じ高さ位置で対向する毛屑の飛散防止壁２６が一体的に設けられている。この毛屑の飛散防止壁２６の毛屑衝突面２６ａは、上半面が下向きに傾斜されている。なお、図４（ｃ）に示すように、毛屑衝突面２６ａは、上下全面を下向きに傾斜させても良い。
【００２１】
前記のような鼻毛カッター１０であれば、内刃フレーム２２に毛屑の飛散防止壁２６を設けたから、図５（ａ）のように、内刃２３で切断された毛屑ａは、直ぐに飛散防止壁２６の毛屑衝突面２６ａに衝突して、スリット外刃２１内で下方に落下するので、スリット外刃２１のスリット溝２１ｂから外部に飛散するのを防止でき、使用後の鼻穴内の手入れが不要になる。
【００２２】
また、毛屑の飛散防止壁２６の毛屑衝突面２６ａを下向きに傾斜させたから、内刃２３で切断された毛屑ａが飛散防止壁２６の毛屑衝突面２６ａに衝突すると、下向きに傾斜させた毛屑衝突面２６ａでスムーズに誘導されて、スリット外刃２１内で迅速に下方に落下するので、スリット外刃２１のスリット溝２１ｂから外部に飛散するのをより確実に防止できるようになる。
【００２３】
因みに、図５（ｂ）は、内刃フレーム２２に毛屑の飛散防止壁２６を設けていないタイプであり、このタイプでは、内刃２３で切断された毛屑ａがスリット外刃２１のスリット溝２１ｂから外部に飛散するので、カットした後の毛屑ａが鼻穴に残ることが分かる。
【図面の簡単な説明】
【００２４】
【図１】本発明の実施形態に係る鼻毛カッターであり、（ａ）は正面図、（ｂ）は側面断面図である。
【図２】刃組立品の分解斜視図である。
【図３】内刃ブロックであり、（ａ）は斜視図、（ｂ）は平面図、（ｃ）は正面図である。
【図４】（ａ）は（ｂ）のＡ−Ａ線断面図、（ｂ）は刃組立品の正面断面図、（ｃ）は変形例の飛散防止壁の要部正面図である。
【図５】（ａ）は本発明の実施形態に係る刃組立品の断面図、（ｂ）は飛散防止壁を設けていないタイプの刃組立品の断面図である。
【符号の説明】
【００２５】
１０    鼻毛カッター
１１    本体組立品
１２    刃組立品
１２Ａ  外刃ブロック
１２Ｂ  内刃ブロック
１５    電動モータ
２０    外刃フレーム
２１    スリット外刃
２１ａ  内周面
２１ｂ  スリット溝
２２    内刃フレーム
２２ｄ  内刃挿入穴
２３    内刃
２４    ばね
２６    毛屑の飛散防止壁
２６ａ  毛屑衝突面
ａ      毛屑
Ｒ      回転方向
【図１】
2007029382.tif 000003
【図２】
2007029382.tif 000004
【図３】
2007029382.tif 000005
【図４】
2007029382.tif 000006
【図５】
2007029382.tif 000007